(57)【特許請求の範囲】
【請求項１】
情報送信端末から情報を受信し、該情報を情報受信端末へ送信する情報仲介装置であって、
情報送信者を識別する送信者ＩＤを記憶する第１記憶手段と、
情報受信者を識別する受信者ＩＤと、情報送信者の人数を示す、該情報受信者が要求する必要人数と、情報送信者の行動履歴を含む生活情報を情報受信者が閲覧可能となる日時を示す閲覧対象開始日時と、を対応付けて記憶する第２記憶手段と、
前記生活情報と、該生活情報が送信された送信日時と、該生活情報を送信した情報送信者の送信者ＩＤと、を対応付けて記憶する第３記憶手段と、
前記第２記憶手段に記憶される第１受信者ＩＤの第１必要人数を満たす、１以上の第１送信者ＩＤを前記第１記憶手段から取得する取得手段と、
１以上の該第１送信者ＩＤと前記第１受信者ＩＤとを対応付けて記憶する第４記憶手段と、
送信者ＩＤを前記第１記憶手段から抽出しないことを示す非抽出情報を受け取った場合、該非抽出情報が示す非抽出送信者ＩＤに対応した第２受信者ＩＤを前記第４記憶手段から取得し、該非抽出送信者ＩＤに対応する生活情報のうち、該生活情報の送信日時が前記第２受信者ＩＤの閲覧対象開始日時よりも新しい生活情報の個数を示す送信実績数を算出し、該送信実績数以上の生活情報の個数を送信した情報送信者に対応する第１送信者ＩＤでかつ該非抽出送信者ＩＤ以外の第１送信者ＩＤを代替送信者ＩＤとして選択し、該代替送信者ＩＤと前記第２受信者ＩＤとを対応付けて前記第４記憶手段に記憶する情報送信者解約処理手段と、
前記情報受信端末から前記生活情報の閲覧要求がある場合、受信者ＩＤに対応する、前記非抽出送信者ＩＤ以外の第１送信者ＩＤに対応付いた生活情報を前記第３記憶手段から抽出し前記情報受信端末に送信する情報提示手段と、を具備することを特徴とする情報仲介装置。
【請求項２】
情報送信端末から情報を受信し、該情報を情報受信端末へ送信する情報仲介装置に使用する情報仲介方法であって、
情報送信者を識別する送信者ＩＤを第１記憶手段に記憶し、
情報受信者を識別する受信者ＩＤと、情報送信者の人数を示す、該情報受信者が要求する必要人数と、情報送信者の行動履歴を含む生活情報を情報受信者が閲覧可能となる日時を示す閲覧対象開始日時と、を対応付けて第２記憶手段に記憶し、
前記生活情報と、該生活情報が送信された送信日時と、該生活情報を送信した情報送信者の送信者ＩＤと、を対応付けて第３記憶手段に記憶し、
前記第２記憶手段に記憶される第１受信者ＩＤの第１必要人数を満たす、１以上の第１送信者ＩＤを前記第１記憶手段から取得し、
１以上の該第１送信者ＩＤと前記第１受信者ＩＤとを対応付けて第４記憶手段に記憶し、
送信者ＩＤを前記第１記憶手段から抽出しないことを示す非抽出情報を受け取った場合、該非抽出情報が示す非抽出送信者ＩＤに対応した第２受信者ＩＤを前記第４記憶手段から取得し、該非抽出送信者ＩＤに対応する生活情報のうち、該生活情報の送信日時が前記第２受信者ＩＤの閲覧対象開始日時よりも新しい生活情報の個数を示す送信実績数を算出し、該送信実績数以上の生活情報の個数を送信した情報送信者に対応する第１送信者ＩＤでかつ該非抽出送信者ＩＤ以外の第１送信者ＩＤを代替送信者ＩＤとして選択し、該代替送信者ＩＤと前記第２受信者ＩＤとを対応付けて前記第４記憶手段に記憶し、
前記情報受信端末から前記生活情報の閲覧要求がある場合、受信者ＩＤに対応する、前記非抽出送信者ＩＤ以外の第１送信者ＩＤに対応付いた生活情報を前記第３記憶手段から抽出し前記情報受信端末に送信することを具備することを特徴とする情報仲介方法。
【請求項３】
コンピュータを、請求項１に記載の情報仲介装置の各手段として機能させるためのプログラム。
【請求項４】
情報送信端末が情報を情報仲介装置へ送信し、該情報仲介装置が該情報を情報受信端末へ送信する情報仲介システムであって、
前記情報送信端末は、情報送信者を識別する送信者ＩＤと、該情報送信者の行動履歴を含む生活情報と、送信者ＩＤを抽出しないことを示す非抽出情報とを前記情報仲介装置へ送信する送信手段を具備し、
前記情報受信端末は、情報受信者を識別する受信者ＩＤと、情報送信者の人数を示す、該情報受信者が要求する必要人数と、情報送信者の行動履歴を含む生活情報を閲覧するための閲覧要求とを前記情報仲介装置へ送信する送信手段を具備し、
前記情報仲介装置は、
前記送信者ＩＤを記憶する第１記憶手段と、
前記受信者ＩＤと、前記必要人数と、前記生活情報を情報受信者が閲覧可能となる日時を示す閲覧対象開始日時と、を対応付けて記憶する第２記憶手段と、
前記生活情報と、該生活情報が送信された送信日時と、該生活情報を送信した情報送信者の送信者ＩＤと、を対応付けて記憶する第３記憶手段と、
前記第２記憶手段に記憶される第１受信者ＩＤの第１必要人数を満たす、１以上の第１送信者ＩＤを前記第１記憶手段から取得する取得手段と、
１以上の該第１送信者ＩＤと前記第１受信者ＩＤとを対応付けて記憶する第４記憶手段と、
前記情報送信端末が前記非抽出情報を前記情報仲介装置へ送信する場合、該非抽出情報が示す非抽出送信者ＩＤに対応した第２受信者ＩＤを前記第４記憶手段から取得し、該非抽出送信者ＩＤに対応する生活情報のうち、該生活情報の送信日時が前記第２受信者ＩＤの閲覧対象開始日時よりも新しい生活情報の個数を示す送信実績数を算出し、該送信実績数以上の生活情報の個数を送信した情報送信者に対応する第１送信者ＩＤでかつ該非抽出送信者ＩＤ以外の第１送信者ＩＤを代替送信者ＩＤとして選択し、該代替送信者ＩＤと前記第２受信者ＩＤとを対応付けて前記第４記憶手段に記憶する情報送信者解約処理手段と、
前記情報受信端末が前記閲覧要求を前記情報仲介装置へ送信する場合、受信者ＩＤに対応する、前記非抽出送信者ＩＤ以外の第１送信者ＩＤに対応付いた生活情報を前記第３記憶手段から抽出し前記情報受信端末に送信する情報提示手段と、を具備することを特徴とする情報仲介システム。
【発明の詳細な説明】
【技術分野】
【０００１】
この発明は、情報送信者からの情報を情報受信者に提示する際の仲介となる情報仲介装置、方法、プログラムおよびシステムに関する。
【背景技術】
【０００２】
近年、多数の情報送信者から提供される個人情報を蓄積して集計処理し、その集計データを情報受信者に提供するシステムが提案されている。このシステムを使用することで、情報受信者は提供された集計データをもとにマーケティング処理等を行うことが可能となる。
【０００３】
ところで、このシステムにおいて情報送信者から提供された個人情報が利用不可である場合に、その個人情報以外の代替情報を提供することでデータを補完する方法がある（例えば、特許文献１参照。）。
【先行技術文献】
【特許文献】
【０００４】
【特許文献１】特開２００９−１８１３３４号公報
【発明の概要】
【発明が解決しようとする課題】
【０００５】
ところが、上述のような代替情報では、欠落した個人情報を収集することができないため、実質的に個人情報の集計データのサンプル数が減少し、情報受信者が所望する情報量を得ることができない。  
この発明は上記事情に着目してなされたもので、その目的とするところは、情報受信者が必要とする情報量以上の情報量の提供を保証することができる情報仲介装置、方法、プログラムおよびシステムを提供することにある。
【課題を解決するための手段】
【０００６】
上記目的を達成するために、この発明の情報仲介装置は、情報送信端末から情報を受信し、該情報を情報受信端末へ送信する情報仲介装置であって、第１記憶手段、第２記憶手段、第３記憶手段、取得手段、第４記憶手段、情報送信者解約処理手段、および情報提示手段を含む。第１記憶手段は、情報送信者を識別する送信者ＩＤを記憶する。第２記憶手段は、情報受信者を識別する受信者ＩＤと、情報送信者の人数を示す、該情報受信者が要求する必要人数と、情報送信者の行動履歴を含む生活情報を情報受信者が閲覧可能となる日時を示す閲覧対象開始日時と、を対応付けて記憶する。第３記憶手段は、前記生活情報と、該生活情報が送信された送信日時と、該生活情報を送信した情報送信者の送信者ＩＤと、を対応付けて記憶する。取得手段は、前記第２記憶手段に記憶される第１受信者ＩＤの第１必要人数を満たす、１以上の第１送信者ＩＤを前記第１記憶手段から取得する。第４記憶手段は、１以上の該第１送信者ＩＤと前記第１受信者ＩＤとを対応付けて記憶する。情報送信者解約処理手段は、送信者ＩＤを前記第１記憶手段から抽出しないことを示す非抽出情報を受け取った場合、該非抽出情報が示す非抽出送信者ＩＤに対応した第２受信者ＩＤを前記第４記憶手段から取得し、該非抽出送信者ＩＤに対応する生活情報のうち、該生活情報の送信日時が前記第２受信者ＩＤの閲覧対象開始日時よりも新しい生活情報の個数を示す送信実績数を算出し、該送信実績数以上の生活情報の個数を送信した情報送信者に対応する第１送信者ＩＤでかつ該非抽出送信者ＩＤ以外の第１送信者ＩＤを代替送信者ＩＤとして選択し、該代替送信者ＩＤと前記第２受信者ＩＤとを対応付けて前記第４記憶手段に記憶する。情報提示手段は、前記情報受信端末から前記生活情報の閲覧要求がある場合、受信者ＩＤに対応する、前記非抽出送信者ＩＤ以外の第１送信者ＩＤに対応付いた生活情報を前記第３記憶手段から抽出し前記情報受信端末に送信する。
【発明の効果】
【０００７】
すなわちこの発明によれば、情報受信者が必要とする情報量以上の情報量の提供を保証することができる。
【図面の簡単な説明】
【０００８】
【図１】本実施形態に係る情報仲介システムの概略図。
【図２】本実施形態に係る情報仲介装置を示すブロック図。
【図３】本実施形態に係る情報仲介装置の動作サイクルを示すフローチャート。
【図４】本実施形態に係る情報送信者ＩＤ記憶部に記憶される情報送信者ＩＤの一例を示す図。
【図５】本実施形態に係る情報受信者契約処理部の動作を示すフローチャート。
【図６】本実施形態に係る要求条件記憶部に記憶される要求条件の一例を示す図。
【図７】本実施形態に係る送受信者割り当て記憶部に記憶される表の一例を示す図。
【図８】本実施形態に係る情報送信者解約処理部の動作を示すフローチャート。
【図９】本実施形態に係る生活情報記憶部に記憶される生活情報の一例を示す図。
【図１０】本実施形態に係る情報仲介装置の閲覧処理を示すフローチャート。
【発明を実施するための形態】
【０００９】
以下、図面を参照しながら本発明の実施形態に係る情報仲介装置、方法、プログラムおよびシステムについて詳細に説明する。なお、以下の実施形態では、同一の番号を付した部分については同様の動作を行うものとして、重ねての説明を省略する。
【００１０】
本実施形態にかかる情報仲介システムの概念について図１を参照して説明する。  
情報仲介システム１００は、情報送信端末１０１、情報仲介装置１０２、および情報受信端末１０３を含む。なお、図１では、情報送信端末１０１および情報受信端末１０３が４つずつ存在し、それぞれ通信を行う場合を示しているが、これに限らず１以上の情報送信端末１０１および１以上の情報受信端末１０３が情報仲介装置１０２と通信してもよい。
【００１１】
この情報仲介システム１００は、１以上の情報送信端末１０１から情報仲介装置１０２へ通信ネットワークを介して情報送信者の生活情報を伝送可能とすると共に、情報仲介装置１０２から１以上の情報受信端末１０３へ通信ネットワークを介して、生活情報を伝送可能としたサービスシステムである。生活情報は、情報送信者の生活の行動履歴をデータ化した情報であり、例えば、情報送信者の位置情報、携帯電話利用者の通話履歴、ＷＷＷ（World Wide Web）の閲覧履歴、インターネットの検索ワード履歴、オンラインショッピング履歴が挙げられる。  
なお、通信ネットワークは、ＩＰ（Internet Protocol）網と、このＩＰ網にアクセスするためのアクセス網とから構成される。アクセス網としては、光公衆通信網、携帯電話網、ＬＡＮ（Local Area Network）、無線ＬＡＮ、ＣＡＴＶ（Cable Television）網等が用いられる。
【００１２】
情報送信端末１０１は、情報送信者が自身の情報を送信する際に使用するものであり、例えば携帯電話機やＰＤＡ（Personal Digital Assistant）等の携帯端末、パーソナル・コンピュータ等の固定情報端末、双方向通信機能を有するテレビジョン受信装置により構成される。  
また、情報送信端末１０１は、情報送信者固有の識別情報を示す送信者識別情報（以下、情報送信者ＩＤまたは送信者ＩＤという）を保持する。そして、情報送信者がサービスの契約を申し込むときは、情報送信者ＩＤを情報仲介装置１０２へ送信する。また、情報送信端末１０１は、情報送信者の生活情報を情報仲介装置１０２へ送信するときは、生活情報と情報送信者ＩＤとを対応付けて送信する。なお、生活情報と情報送信者ＩＤとを送信する場合は、定期的に生活情報をまとめて情報仲介装置１０２へ送信してもよいし、生活情報が生成されるごと（例えば、検索ワード履歴が増えるごと）に情報仲介装置１０２へ送信するようにしてもよい。  
また、情報送信端末１０１は、情報送信者がサービスの解約を申し込むときは、解約を示す解約情報と情報送信者ＩＤとを対応付けて情報仲介装置１０２へ送信する。
【００１３】
情報仲介装置１０２は、情報送信者および情報受信者からのサービスの契約の申し込みに応じて契約処理を行う。その後、情報送信端末１０１からの生活情報を受信して記憶し、情報受信端末１０３から、生活情報の閲覧を要求する閲覧要求に応じて情報受信端末１０３に生活情報を送信する。また、情報仲介装置１０２は、情報送信者からサービスの解約の申し込みがあったときは、情報送信者の解約処理を行い、情報受信端末１０３へ解約した情報送信者の代替となる情報送信者の生活情報を送信する。なお、情報仲介装置１０２の詳細な動作については図２を参照して後述する。
【００１４】
情報受信端末１０３は、情報送信者の生活情報などを要求する情報受信者が使用する端末であり、情報送信端末１０１と同様にパーソナル・コンピュータなどから構成される。情報受信端末１０３は、情報受信者がサービスの契約を申し込むときは、情報受信者固有の識別情報を示す受信者識別情報（以下、情報受信者ＩＤまたは受信者ＩＤという）と要求条件とを対応付けて情報仲介装置１０２へ送信する。要求条件は、情報受信者が要求する生活情報を送信する情報送信者に対する条件である。本実施形態では、要求条件の要素として必要人数、閲覧対象開始日時を含むが、これに限らず他の要素を含んでもよい。必要人数は、情報受信者が要求する生活情報を送信している情報送信者の数を示す。閲覧対象開始日時は、情報受信者の契約処理が完了し、情報受信者が生活情報を閲覧可能となる日時を示す。  
また、情報受信端末１０３は、生活情報を閲覧するときは、情報仲介装置１０２へ生活情報を取得するための閲覧要求を送り、情報仲介装置１０２から閲覧要求に応じて送信された生活情報を受信する。
【００１５】
次に、本実施形態に係る情報仲介装置について図２を参照して詳細に説明する。  
本実施形態に係る情報仲介装置１０２は、情報受信部２０１、情報送信者契約処理部２０２、情報送信者ＩＤ記憶部２０３、情報受信者契約処理部２０４、要求条件記憶部２０５、送受信者割り当て記憶部２０６、生活情報記憶部２０８、情報送信者解約処理部２０７、閲覧要求受付部２０９、アクセスコントロール部２１０、生活情報検索部２１１、閲覧要求応答部２１２、および登録制御部２１３を含む。また、閲覧要求受付部２０９、アクセスコントロール部２１０、生活情報検索部２１１、および閲覧要求応答部２１２は、あわせて情報提示部とも呼ぶ。
【００１６】
情報受信部２０１は、情報送信端末１０１から情報送信者ＩＤ、生活情報、および解約情報を受信する。また、情報受信部２０１は、情報受信端末１０３から情報受信者ＩＤと必要人数と閲覧対象開始日時とを受信する。  
情報送信者契約処理部２０２は、情報受信部２０１から情報送信者ＩＤを受け取り、情報送信者ＩＤを後述する情報送信者ＩＤ記憶部２０３に記憶させる処理を行う。  
情報送信者ＩＤ記憶部２０３は、情報送信者契約処理部２０２から情報送信者ＩＤを受け取って記憶する。  
情報受信者契約処理部２０４は、情報受信部２０１から、情報受信者ＩＤと要求条件とを受け取り、要求条件を後述の要求条件記憶部２０５に記憶させる処理を行う。さらに、情報受信者契約処理部２０４は、情報送信者ＩＤ記憶部２０３から必要人数分の情報送信者ＩＤを取り出し、情報受信者ＩＤと情報送信者ＩＤとを対応付けて後述の送受信者割り当て記憶部２０６に記憶させる処理を行う。情報受信者契約処理部２０４の動作については、図５を参照して後述する。
【００１７】
要求条件記憶部２０５は、情報受信者契約処理部２０４から、要求条件と情報受信者ＩＤとを受け取って記憶する。  
送受信者割り当て記憶部２０６は、情報受信者ＩＤと情報送信者ＩＤとを対応付けて記憶する。  
情報送信者解約処理部２０７は、情報受信部２０１から解約情報を非抽出情報として受け取る。非抽出情報は、送信者ＩＤを送信者ＩＤ記憶部から抽出しないことを示す情報である。また、情報送信者解約処理部２０７は、送受信者割り当て記憶部２０６から、解約情報が示す送信者ＩＤである解約送信者ＩＤ（非抽出送信者ＩＤともいう）に対応する情報受信者を取得する。また、情報送信者解約処理部２０７は、要求条件記憶部２０５から検索して、代替となる情報送信者ＩＤ（以下、代替送信者ＩＤ）を取得する。情報送信者解約処理部２０７の詳細な動作については、図８を参照して後述する。
【００１８】
生活情報記憶部２０８は、情報受信部２０１から生活情報を受け取って記憶する。  
閲覧要求受付部２０９は、情報受信端末１０３から情報受信者ＩＤと閲覧要求とを受信する。  
アクセスコントロール部２１０は、閲覧要求受付部２０９から情報受信者ＩＤと閲覧要求とを受け取り、情報受信者ＩＤをキーとして、送受信者割り当て記憶部２０６から対応する情報送信者ＩＤを取得する。また、アクセスコントロール部２１０は、要求条件記憶部２０５を検索し、情報受信者ＩＤに対応する閲覧対象開始日時を取得する。閲覧対象開始日時は、情報受信者の契約処理が完了し、情報受信者が生活情報を閲覧可能となる日時を示す。
【００１９】
生活情報検索部２１１は、情報送信者ＩＤと閲覧対象開始日時とを受け取り、情報送信者ＩＤと閲覧対象開始日時とをキーとして生活情報記憶部２０８を検索し、対応する生活情報を取得する。  
閲覧要求応答部２１２は、生活情報検索部２１１から生活情報を受け取り、情報受信端末１０３に送信する。生活情報の送信方法としては、例えば、生活情報をＨＴＭＬ（Hyper Text Markup language）に変換して送信するといったことが挙げられるが、これに限らず情報受信端末１０３に生活情報が提示されるような方法であればよい。  
登録制御部２１３は、情報送信者の契約処理または解約処理、情報受信者の契約処理に関して、外部から情報送信者ＩＤ、情報受信者ＩＤ、要求条件などが入力された場合に契約処理または解約処理の制御を行う。外部から情報送信者ＩＤなどが入力される場合とは、例えば、オペレータに電話などを通じて音声で情報が伝えられることが挙げられる。
【００２０】
次に、本実施形態に係る情報仲介装置１０２の動作サイクルについて図３を参照して説明する。  
ステップＳ３０１では、情報送信端末１０１から契約の申し込みがあった場合は、情報送信者契約処理をおこなう。  
ステップＳ３０２では、情報受信端末１０３から契約の申し込みがあった場合は、情報受信者契約処理をおこなう。  
ステップＳ３０３では、情報送信端末１０１から解約の申し込みがあった場合は、情報送信者解約処理をおこなう。  
ステップＳ３０４では、情報送信端末１０１から生活情報を受信した場合は、情報受信処理をおこなう。  
ステップＳ３０５では、情報受信端末１０３から送信者の生活情報を要求する閲覧要求があった場合は、閲覧処理をおこなう。  
以上のステップＳ３０１からステップＳ３０５までの処理を繰り返しおこなう。以下に各ステップにおける処理をそれぞれ詳細に説明する。
【００２１】
（情報送信者契約処理）  
情報送信者は、サービスを利用するために契約の申し込みを行う。具体的には、情報送信者が契約を申し込むために必要な情報送信者ＩＤを情報送信端末１０１に入力し、情報送信端末１０１が、入力された情報送信者ＩＤを情報仲介装置１０２へ送信する。その後、情報受信部２０１が情報送信者ＩＤを受信する。続いて、情報送信者契約処理部２０２が、情報受信部２０１から情報送信者ＩＤを受け取って情報送信者ＩＤ記憶部２０３に記憶する。  
また、オペレータからの入力といった、外部の入力により情報送信者の契約処理を行う場合は、登録制御部２１３は、外部から入力された情報送信者ＩＤを情報送信者契約処理部２０２へ送る。
【００２２】
ここで、情報送信者ＩＤ記憶部２０３に記憶される情報送信者ＩＤの一例について図４に示す。  
図４に示すように情報送信者ＩＤ４０１が記憶される。なお、本実施形態では、情報送信者ＩＤ４０１のみ記憶しているが、これに限らず、情報送信者のプロフィール情報（氏名、年齢、性別、および契約開始日時など）といった他の要素を含んでもよい。
【００２３】
（情報受信者契約処理）  
情報受信者もまた、サービスを利用するために契約の申し込みを行う。具体的には、情報受信者が、契約を申し込むために必要な情報受信者ＩＤと要求条件とを情報受信端末１０３に入力し、情報受信端末１０３が、入力された情報受信者ＩＤと要求条件とを情報仲介装置１０２へ送信する。  
また、外部の入力により情報受信者の契約処理を行う場合、登録制御部２１３は、外部から入力された情報受信者ＩＤと要求条件とを情報受信者契約処理部２０４へ送る。
【００２４】
ここで、情報受信者契約処理部２０４の動作について、図５のフローチャートを参照して説明する。  
ステップＳ５０１では、情報受信部２０１または登録制御部２１３から、情報受信者ＩＤと要求条件とを受け取る。要求条件を要求条件記憶部２０５に記憶する。  
ステップＳ５０２では、情報送信者ＩＤ記憶部２０３から必要人数分の情報送信者ＩＤを取得する。  
ステップＳ５０３では、取得した情報送信者ＩＤと情報受信者ＩＤとを対応付けて、送受信者割り当て記憶部２０６に記憶する。  
ステップＳ５０４では、要求条件に含まれる必要人数だけ、情報送信者ＩＤと情報受信者ＩＤとが対応付けられたかどうかを判定する。必要人数分対応付けられている場合は、動作を終了する。必要人数分対応付けられていない場合は、ステップＳ５０３へ戻り、同様の処理を繰り返す。
【００２５】
次に、要求条件記憶部２０５に記憶される要求条件の一例について図６を参照して説明する。  
要求条件記憶部２０５には、情報受信者ＩＤ６０１と要求条件６０２とが関連付けられて、要求条件６０２の各要素として、必要人数６０３、閲覧対象開始日時６０４がそれぞれ対応付けられて格納される。具体的には、情報受信者ＩＤ「Ｒ０００１」、必要人数「１０００」、閲覧対象開始日時「２０１０／１／１」がそれぞれ対応付けられて格納される。なお、情報送信者ＩＤ記憶部２０３に記憶されている情報送信者ＩＤの数が必要人数を上回る場合もあるが、その場合はランダムに選択してもよい。
【００２６】
次に、送受信者割り当て記憶部２０６に記憶される対応表の一例について図７を参照して説明する。  
図７に示すように、送受信者割り当て記憶部２０６には、情報送信者ＩＤ４０１と情報受信者ＩＤ６０１とが対応付けられて記憶される。すなわち、情報受信者の必要人数を満たすように、１つの情報受信者ＩＤに対して複数の情報送信者ＩＤが対応付けられることになる。具体的には、情報受信者ＩＤ「Ｒ０００１」であれば、情報送信者ＩＤ「Ｓ０００１」から「Ｓ１０００」までと対応付けられる。
【００２７】
（情報送信者解約処理）  
情報仲介装置１０２は、情報送信者からサービスの解約の申し込みがあった場合に、解約送信者ＩＤを用いて解約処理を行う。具体的には、情報送信者が解約の申し込みをする場合は、情報送信者が解約情報を情報送信端末１０１に入力し、情報送信端末１０１が、解約情報と情報送信者ＩＤ（すなわち解約送信者ＩＤ）とを情報仲介装置１０２へ送信する。また、外部の入力により情報送信者の解約処理を行う場合、登録制御部２１３は、外部から入力された解約送信者ＩＤを情報送信者解約処理部２０７へ送る。
【００２８】
また、情報仲介装置１０２は、情報送信端末１０１から生活情報を受信できない場合（例えば、情報送信端末、中継基地局の誤動作や故障、または人為的ミスによるデータ消失）にも解約処理を行うことが望ましい。この理由としては、たとえ情報送信者から解約の申し込みを受けていない場合でも、情報仲介装置１０２が生活情報を受信できない状態が長く続けば、情報受信者にとっては必要人数分の情報送信者の生活情報を得ることができず、情報送信者が解約したことと同様の結果となりえるからである。よって、この場合は、登録制御部２１３が、一定期間生活情報を受信できていない情報送信者ＩＤを解約送信者ＩＤとして情報送信者ＩＤ記憶部２０３から取得し、情報送信者から解約の申し込みがあった場合と同様に処理すればよい。
【００２９】
ここで、情報送信者解約処理部２０７の動作について図８のフローチャートを参照して説明する。  
ステップＳ８０１では、情報受信部２０１から解約送信者ＩＤを受け取る。  
ステップＳ８０２では、解約送信者ＩＤをキーとして、情報送信者ＩＤ記憶部２０３に記憶された情報送信者ＩＤを削除する。  
ステップＳ８０３では、解約送信者ＩＤをキーとして、送受信者割り当て記憶部２０６を検索し、対応する情報受信者ＩＤを得る。なお、対応する情報受信者ＩＤが複数得られることもある。  
ステップＳ８０４では、ステップＳ８０３で得られた情報受信者ＩＤをキーとして、要求条件記憶部２０５を検索し、情報受信者ＩＤに対応する要求条件の閲覧対象開始日時を得る。なお、情報受信者ＩＤが複数存在した場合は、それぞれ対応する要求条件を得る。
【００３０】
ステップＳ８０５では、解約送信者ＩＤと、ステップＳ８０４で得られた閲覧対象開始日時よりも新しい情報送信日時をキーとして生活情報記憶部２０８を検索し、記憶されている生活情報の個数、すなわちレコード数を示す送信実績数を算出する。  
ステップＳ８０６では、ステップＳ８０４で得られた閲覧対象開始日時よりも新しい情報送信日時をキーとして生活情報記憶部２０８を検索し、情報送信者ＩＤごとに、生活情報の個数を計数する。そして、計数結果がステップＳ８０５で得られた送信実績数以上の情報送信者ＩＤを、代替送信者ＩＤとして選択する。なお、複数の情報送信者ＩＤが得られる可能性があるが、その場合は複数の情報送信者ＩＤの中から１つを任意の方法で選択すればよい。
【００３１】
ステップＳ８０７では、代替送信者ＩＤと情報受信者ＩＤとを対応づけて、送受信者割り当て記憶部２０６に記憶する。  
ステップＳ８０８では、全ての受信者ＩＤについて処理したかどうかを判定する。全ての受信者ＩＤについて処理した場合は、ステップＳ８０９へ進み、全ての受信者ＩＤについて処理していない場合は、ステップＳ８０４に戻り、同様の処理を繰り返す。  
ステップＳ８０９では、解約送信者ＩＤをキーとして、送受信者割り当て記憶部２０６を検索し、解約送信者ＩＤを削除する。すなわち、解約送信者ＩＤが代替送信者ＩＤに置き換えられることになる。
【００３２】
ステップＳ８１０では、解約送信者ＩＤをキーとして、生活情報記憶部２０８に記憶されたデータを削除する。以上で情報送信者解約処理部２０７の動作を終了する。  
なお、ステップＳ８０２、ステップＳ８０９、およびステップＳ８１０では、解約送信者ＩＤに関する情報（生活情報、情報送信者ＩＤ）を削除しているが、情報を削除しなくてもよい。この場合は、ステップＳ８０６において、対応する情報送信者ＩＤのうち、解約送信者ＩＤ以外の情報送信者ＩＤを代替送信者ＩＤとして取得すればよい。
【００３３】
（情報受信処理）  
情報送信端末１０１から、情報仲介装置１０２へ生活情報が送信される。生活情報が送信される際に、情報送信者ＩＤと情報送信日時とが合わせて送信される。情報受信部２０１は、生活情報、情報送信者ＩＤ、および情報送信日時を受信する。そして、生活情報記憶部２０８は、情報受信部２０１から生活情報、情報送信者ＩＤ、および情報送信日時を受け取って記憶する。
【００３４】
ここで、生活情報記憶部２０８に記憶される情報の一例について図９を参照して説明する。  
生活情報記憶部２０８には、情報送信者ＩＤ４０１、情報送信日時９０１、および生活情報９０２がそれぞれ対応付けられて記憶される。例えば、情報送信者ＩＤ「Ｓ０００１」に関して、情報送信日時「２０１０／８／１ １２：００」、生活情報「ＧＰＳ位置（Ｅ１３５，Ｎ３５）」が対応付けられて記憶されることで、情報送信者ＩＤ「Ｓ０００１」の情報送信者が何時にどこにいたかという情報を情報受信者が得ることができる。同様に、情報送信者ＩＤ「Ｓ０００３」に関して、情報送信日時「２０１０／８／７ １３：４５」、生活情報「オンラインショッピングで書籍を購入」が対応付けられることで、情報送信者ＩＤ「Ｓ０００３」の情報送信者がいつ、何を購入したという情報を情報受信者が得ることができる。
【００３５】
（閲覧処理）  
情報受信端末１０３からの閲覧要求に対する情報仲介装置１０２の動作について図１０のフローチャートを参照して説明する。  
ステップＳ１００１では、情報受信端末１０３からＷＷＷブラウザなどを通じて情報仲介装置１０２へ閲覧要求と情報受信者ＩＤとが送信され、閲覧要求受付部２０９が閲覧要求と情報受信者ＩＤとを受信する。  
ステップＳ１００２では、アクセスコントロール部２１０が、情報受信者ＩＤを受け取り、情報受信者ＩＤをキーとして送受信者割り当て記憶部２０６を検索し、情報送信者ＩＤを得る。ここで得られる情報送信者ＩＤには、情報送信者の解約処理があった場合は代替送信者ＩＤが含まれることになる。なお、情報受信者ＩＤに対して複数の情報送信者ＩＤが対応付いている場合は、複数の情報送信者ＩＤが得られる。  
ステップＳ１００３では、アクセスコントロール部２１０が、情報受信者ＩＤをキーとして要求条件記憶部２０５を検索し、情報受信者ＩＤに対応する閲覧対象開始日時を抽出する。
【００３６】
ステップＳ１００４では、生活情報検索部２１１が、アクセスコントロール部２１０から情報受信者ＩＤと閲覧対象開始日時とを受け取り、情報受信者ＩＤと、閲覧対象開始日時よりも新しい情報送信日時とを検索条件として生活情報記憶部２０８を検索し、対応する生活情報を得る。  
ステップＳ１００５では、生活情報検索部２１１が、全ての情報送信者ＩＤについて処理したかどうかを判定し、全ての情報送信者ＩＤについて処理した場合は、ステップＳ１１０６に進み、全ての情報送信者ＩＤについて処理していない場合は、ステップＳ１１０４に戻り、同様の処理を繰り返す。
【００３７】
ステップＳ１００６では、閲覧要求応答部２１２が、生活情報検索部２１１から生活情報を受け取り、情報受信端末１０３で表示可能なように変換した生活情報を情報受信端末１０３に送信する。なお、情報受信端末１０３で生活情報を表示する方法としては、閲覧要求応答部２１２が生活情報をＨＴＭＬに変換し、変換された生活情報を情報受信端末１０３が受信して、ＷＷＷブラウザを介して表示する方法が挙げられるが、これに限らず情報受信端末１０３で表示できる方法であれば、どのような方法を用いてもよい。
【００３８】
解約処理により、当初に契約していた情報送信者が解約したことにより、代替送信者ＩＤと情報受信者ＩＤとが対応付けられている場合でも、上述の各ステップの処理を行うことで、情報受信者の閲覧対象開始日時から代替送信者ＩＤの生活情報も閲覧することができ、該当する情報送信者の生活情報を閲覧し続けることができる。
【００３９】
以上に示した本実施形態によれば、情報送信者が契約を解約することにより、情報受信者が必要とする生活情報が取得不可能となった場合でも、情報受信者の必要人数分の生活情報を供給し、かつ解約送信者よりも送信実績数が多い情報送信者で代替し、さらに情報受信者の契約開始時期からの代替送信者の生活情報を取得可能とすることで、情報受信者が必要とする情報量以上の情報量の提供を保証することができる。よって、情報受信者は、情報送信者の生活行動の変化を契約開始時期からの統計の信頼度をさらに保証することができる。
【００４０】
なお、情報仲介装置の構成とその処理手順及び処理内容、情報送信端末および情報受信端末の種類、生活情報の種類や構成などについても、この発明の要旨を逸脱しない範囲で種々変形して実施可能である。
【００４１】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４２】
１００・・・情報仲介システム、１０１・・・情報送信端末、１０２・・・情報仲介装置、１０３・・・情報受信者、１０３・・・情報送信端末、２０１・・・情報受信部、２０２・・・情報送信者契約処理部、２０３・・・情報送信者ＩＤ記憶部、２０４・・・情報受信者契約処理部、２０５・・・要求条件記憶部、２０６・・・送受信者割り当て記憶部、２０７・・・情報送信者解約処理部、２０８・・・生活情報記憶部、２０９・・・閲覧要求受付部、２１０・・・アクセスコントロール部、２１１・・・生活情報検索部、２１２・・・閲覧要求応答部、２１３・・・登録制御部、４０１・・・情報送信者ＩＤ、６０１・・・情報受信者ＩＤ、６０２・・・要求条件、６０３・・・必要人数、６０４・・・閲覧対象開始日時、９０１・・・情報送信日時、９０２・・・生活情報。
【図１】
0005467028.tif 000002
【図２】
0005467028.tif 000003
【図３】
0005467028.tif 000004
【図４】
0005467028.tif 000005
【図５】
0005467028.tif 000006
【図６】
0005467028.tif 000007
【図７】
0005467028.tif 000008
【図８】
0005467028.tif 000009
【図９】
0005467028.tif 000010
【図１０】
0005467028.tif 000011